(57)【要約】【課題】  キーバックライト又は液晶表示器バックライトを着信報知に兼用できるようにし、着信ＬＥＤを設けずに着信を知らせることができるようにした移動電話装置を提供する。【解決手段】  移動電話装置は、キーバックライト２、制御回路７、光センサ８、表示器５等を備えており、光センサ８が周囲（使用場所）が暗いことを検出すると、キーの押下があってもキーバックライト２を消灯し続ける。着信があると、キーバックライト２が点滅して着信を知らせる。キー押下時のキーバックライト２は連続点灯であるので、点滅による着信との相違は容易に認識することができ、キーバックライト２を着信表示に兼用しても不都合は生じない。【選択図】        図１
2004248319.tif 000002
【特許請求の範囲】
【請求項１】
使用場所の明るさを検出する光センサと、
着信を検出する着信検出部と、
キーの背面に設けられたキーバックライトと、
前記キーバックライトの点灯を制御する制御部とを備え、
前記制御部は、前記光センサが使用場所が所定の明るさ以下であることを検出し、かつ、前記着信検出部が着信有りを検出したとき、前記キーバックライトを点滅させることを特徴とする移動電話装置。
【請求項２】
前記制御部は、前記光センサが使用場所が所定の明るさ以下であることを検出し、かつ、前記着信検出部が着信有りを検出していないとき、前記キーの押下に基づいて前記キーバックライトを点灯させることを特徴とする請求項１記載の移動電話装置。
【請求項３】
前記制御部は、前記光センサが使用場所が所定の明るさ以上であることを検出したとき、前記着信検出部が着信有りを検出しても前記キーバックライトの消灯を維持することを特徴とする請求項１記載の移動電話装置。
【請求項４】
前記制御部は、前記光センサが使用場所が所定の明るさ以上であることを検出したとき、かつ、前記着信検出部が着信有りを検出していないとき、前記キーの押下があっても前記キーバックライトの消灯を維持することを特徴とする請求項１記載の移動電話装置。
【請求項５】
使用場所の明るさを検出する光センサと、
着信を検出する着信検出部と、
キーの背面に設けられたキーバックライトと、
液晶表示器の背面に設けられた液晶表示器バックライトと、
前記キーバックライト及び前記液晶表示器バックライトの点灯を制御する制御部とを備え、
前記制御部は、前記光センサが使用場所が所定の明るさ以下であることを検出し、かつ、前記着信検出部が着信有りを検出したとき、前記液晶表示器バックライトを点滅させることを特徴とする移動電話装置。
【請求項６】
前記制御部は、前記光センサが使用場所が所定の明るさ以下であることを検出し、かつ、前記着信検出部が着信有りを検出していないとき、前記キーの押下に基づいて前記液晶表示器バックライト及び前記キーバックライトを点灯させることを特徴とする請求項５記載の移動電話装置。
【請求項７】
前記制御部は、前記光センサが使用場所が所定の明るさ以下であることを検出したとき、前記着信検出部が着信有りを検出しても前記液晶表示器バックライト及び前記キーバックライトの消灯を維持することを特徴とする請求項５記載の移動電話装置。
【請求項８】
前記制御部は、前記光センサが使用場所が所定の明るさ以上であることを検出し、かつ、前記着信検出部が着信有りを検出していないとき、前記キーの押下があっても前記液晶表示器バックライトの消灯を維持することを特徴とする請求項５記載の移動電話装置。
【請求項９】
使用場所の明るさを検出する光センサと、
着信を検出する着信検出部と、
キーの背面に設けられたキーバックライトと、
液晶表示器の背面に設けられた液晶表示器バックライトと、
前記キーバックライト及び前記液晶表示器バックライトの点灯を制御する制御部とを備え、
前記制御部は、前記着信検出部が着信ありを検出したとき、前記キーバックライトを点滅させ、前記着信検出部が着信有りを検出せず、かつ、前記光センサが使用場所が所定の明るさ以下であることを検出したとき、前記キーの押下に基づいて前記キーバックライトを点灯させることを特徴とする移動電話機。
【請求項１０】
使用場所の明るさを検出する光センサと、
着信を検出する着信検出部と、
キーの背面に設けられたキーバックライトと、
液晶表示器の背面に設けられた液晶表示器バックライトと、
前記キーバックライト及び前記液晶表示器バックライトの点灯を制御する制御部とを備え、
前記制御部は、前記着信検出部が着信有りを検出したとき、前記液晶表示器ライトを点滅させ、前記着信検出部が着信有りを検出せず、かつ、前記光センサが使用場所が所定の明るさ以下であることを検出したとき、前記キーの押下に基づいて前記キーバックライト及び前記液晶表示器バックライトを点灯させることを特徴とする移動電話機。
【発明の詳細な説明】
【技術分野】
【０００１】
本発明は、移動電話装置に関し、特に、キーバックライトを着信ＬＥＤに兼用できるようにした携帯電話機、ＰＨＳ等の移動電話装置に関する。
【背景技術】
【０００２】
図７は従来の移動電話装置の構成を示す。以下においては、移動電話装置として携帯電話機を例に説明する。
携帯電話装置１は、ダイヤル入力のための数字キーや記号キー、モード選択等のための各種の機能キー（いずれも図示せず）、液晶による表示器（ＬＣＤ）５、マイク、スピーカ（いずれも図示せず）等を前面に備え、上部にはアンテナ６が設けられている。また、電源としての電池が装着されている。そして、携帯電話装置１の内部には、夜や周囲が暗いときにキー（又はボタン）の場所及びキーの表示内容がわかるようにするためのキーバックライト２が設けられており、このキーバックライト２の点／消灯は制御回路３によって制御される。さらに、携帯電話装置１には、携帯電話装置１の電源オン時において着信があった時に、この着信を点滅により報知するための着信ＬＥＤ４（本体の上部等の見やすい場所に設けられている）が設けられており、この着信ＬＥＤ４も制御回路３により点／消灯が制御される。制御回路３は、図示しない無線部の出力に応じて着信状態の判定を行って着信ＬＥＤ４を制御し、また、いずれかのキーの押下の有無を判定してキーバックライト２の点灯制御、及び一定時間後の消灯制御を行う。
【０００３】
図８は、従来の携帯電話装置の処理を示す。この処理は、制御回路３によって実行される。図中、“Ｓ”はステップを表している（以下、各フローチャートに共通）。
電源キーが押下されると（Ｓ１０１）、着信が有ったか否かが制御回路３によりチェックされる（Ｓ１０２）。着信有りのとき、制御回路３は着信ＬＥＤ４を点滅させる（Ｓ１０３）。着信無しが判定された場合、いずれかのキーの押下の有無が判定され（Ｓ１０４）、キー押下有りが判定されたときにはキーバックライト２を一定時間連続点灯させる（Ｓ１０５）。キー押下無しが判定されたとき、他の処理（各種の入出力操作、電話帳機能、メール機能、メモ機能等の実行）を実行する（Ｓ１０６）。Ｓ１０６の処理が終了すれば、処理はＳ１０２に戻され、以降の処理が繰り返し実行される。
【０００４】
なお、キーの照明に関しては特開平４−２４１５４９号公報があり、周囲が暗いために光センサが動作し、かつ、ユーザーが携帯電話機を手に取ったことによりタッチセンサが動作したことを条件にしてキーバックライトを点灯する構成にしている。これにより、携帯電話機を手に取ると同時にキーバックライトが点灯するため、キー操作がすぐに行えるほか、着信有りを離れた場所からでも知ることができる。
また、特開平７−７４６９１号公報では、折り畳み構造の筐体を有する携帯電話装置にあって、２箇所以上に設けた光センサが同時に周囲が暗いことを検出し、さらにダイヤルキーが操作されたことをもってキー及びＬＣＤのバックライト用のＬＥＤを点灯する。また、筐体の一方にＬＥＤ（電源オンの間は常時点灯）を露出させておき、筐体を折り畳んだときに光センサの１つと対面するように構成し、この状態で着信のみが行えるようにしている。これにより、機械的なスイッチやセンサを用いることなく筐体の開閉を判別することができ、また、閉じた状態では着信のみに限定されるのでバッテリー消費が抑えられる。
さらに、特開平１１−１７７８５号公報（特許第２９４４５８２号）では、筐体を２分割して折り畳める構造の携帯電話装置にあって、２分割の一方に光センサを設けるとともに他方に光検出部を設け、折り畳んだときに光センサと光検出部が対面し、この状態で着信があったとき、ユーザーが筐体を開くことによって直ちに通話を開始することができる。
【発明の開示】
【発明が解決しようとする課題】
【０００５】
しかし、従来の携帯電話装置によると、図７及び図８の構成の場合、キーバックライト２と着信ＬＥＤ４を個別に設けているため、プリント基板上の部品占有面積が増えて実装効率が悪くなり、さらには、部品数の増加、重量の増加、体積の増加、コストアップ等を招いている。
【０００６】
また、上記各公報は、いずれもキーバックライトと着信ＬＥＤを備える構成であるため、上記した問題は解消されない。また、特開平４−２４１５４９号公報、特開平７−７４６９１号公報、及び特開平１１−１７７８５号公報においては、光センサが用いられているが、これは或る暗さ以上のときにキーバックライトを点灯したり、折り畳み式の携帯電話装置における閉じた状態と開いた状態を識別する等に用いられており、他の目的には用いられていない。
【０００７】
したがって、本発明の目的は、キーバックライト又は液晶表示器バックライトを着信報知に兼用できるようにし、着信ＬＥＤを設けずに着信を知らせることができるようにした移動電話装置を提供する。
【課題を解決するための手段】
【０００８】
本発明は、上記の目的を達成するため、使用場所の明るさを検出する光センサと、着信を検出する着信検出部と、キーの背面に設けられたキーバックライトと、前記キーバックライトの点灯を制御する制御部とを備え、前記制御部は、前記光センサが使用場所が所定の明るさ以下であることを検出し、かつ、前記着信検出部が着信有りを検出したとき、前記キーバックライトを点滅させることを特徴とする移動電話装置を提供する。
【０００９】
本発明は、上記の目的を達成するため、使用場所の明るさを検出する光センサと、着信を検出する着信検出部と、キーの背面に設けられたキーバックライトと、液晶表示器の背面に設けられた液晶表示器バックライトと、前記キーバックライト及び前記液晶表示器バックライトの点灯を制御する制御部とを備え、前記制御部は、前記光センサが使用場所が所定の明るさ以下であることを検出し、かつ、前記着信検出部が着信有りを検出したとき、前記液晶表示器バックライトを点滅させることを特徴とする移動電話装置を提供する。
【００１０】
本発明は、上記の目的を達成するため、使用場所の明るさを検出する光センサと、着信を検出する着信検出部と、キーの背面に設けられたキーバックライトと、液晶表示器の背面に設けられた液晶表示器バックライトと、前記キーバックライト及び前記液晶表示器バックライトの点灯を制御する制御部とを備え、前記制御部は、前記着信検出部が着信ありを検出したとき、前記キーバックライトを点滅させ、前記着信検出部が着信有りを検出せず、かつ、前記光センサが使用場所が所定の明るさ以下であることを検出したとき、前記キーの押下に基づいて前記キーバックライトを点灯させることを特徴とする移動電話機を提供する。
【００１１】
本発明は、上記の目的を達成するため、使用場所の明るさを検出する光センサと、着信を検出する着信検出部と、キーの背面に設けられたキーバックライトと、液晶表示器の背面に設けられた液晶表示器バックライトと、前記キーバックライト及び前記液晶表示器バックライトの点灯を制御する制御部とを備え、前記制御部は、前記着信検出部が着信有りを検出したとき、前記液晶表示器ライトを点滅させ、前記着信検出部が着信有りを検出せず、かつ、前記光センサが使用場所が所定の明るさ以下であることを検出したとき、前記キーの押下に基づいて前記キーバックライト及び前記液晶表示器バックライトを点灯させることを特徴とする移動電話機を提供する。
【００１２】
この構成によれば、着信時にはキーバックライト又は液晶表示器バックライトが点滅し、使用場所が所定の明るさ以下のときにキーが押下されればキーバックライトが連続に点灯する。キーバックライト又は液晶表示器バックライトが点滅したか連続点灯したかにより、ユーザーは着信とキー押下を見分けることができる。このように、キーバックライト又は液晶表示器バックライトをバックライトと着信表示器とに兼用したため、従来のように着信専用の着信ＬＥＤを設ける必要が無くなり、プリント基板の実装効率の向上、小型軽量化、及びコストダウンを図ることが可能になる。
［発明の効果］
【００１３】
以上より明らかなように、本発明の移動電話装置によれば、着信時にはキーバックライト又は液晶表示器バックライトを点滅させ、これらバックライトを従来の着信ＬＥＤの機能と兼用にしたので、従来のように着信専用の着信ＬＥＤを設ける必要が無くなり、プリント基板の実装効率の向上、小型軽量化、及びコストダウンを図ることが可能になる。
【発明を実施するための最良の形態】
【００１４】
以下、本発明の実施の形態について図面を基に説明する。
〔第１の実施の形態〕
図１は、本発明による移動電話装置の第１の実施の形態を示す。図１においては、図７に示したと同一であるものには同一引用数字を用いたので、以下においては重複する説明を省略する。
図１に示すように、移動電話装置としての携帯電話機１０は、キーバックライト２、表示器５、アンテナ６、制御回路７、及び光センサ８を備えるほか、〔００２〕で説明したように、ダイヤル入力用のキー、各種の機能キー、マイク、スピーカ等を備えている。制御回路７は、光センサ８の出力信号に基づいて後述する図２の処理を実行する機能を備えている。
【００１５】
図１から明らかなように、本実施の形態においては、着信ＬＥＤが設けられていない。携帯電話機において、着信ＬＥＤによってユーザーに着信を知らせる機能は、必須の機能として定着している。そこで、本実施の形態においては、キーバックライト２を着信ＬＥＤ（着信表示又は着信報知）に兼用している。光センサ８は、キーバックライト２の点灯状態を制御するために用いられる。
【００１６】
ここで、キーバックライト２の点灯モードは２つある。すなわち、第１は、いずれかのキーを押した時に各キーの背面が連続点灯するキーバックライトとしての本来の目的のための点灯であり、第２は、着信があった時に点滅し、着信ＬＥＤの代用となる。キーバックライトとして動作するとき、光センサ８の出力信号が用いられ、制御回路３が携帯電話機１０の周囲（使用場所）の明るさを「明るい」と判断した場合は、前記キーバックライト２は、消灯する構成である。
【００１７】
図２は、本発明の第１の実施の形態における動作を示す。この図２のフローチャート、及び上記した図１の構成を参照して第１の実施の形態の動作を説明する。
まず、電源キーが押下されると（Ｓ２０１）、制御回路１０は光センサ８の出力信号をチェックし、携帯電話機１０の周囲（使用場所）が明るい（キーバックライト２を点灯する必要がない状態）か暗い（キーバックライト２を点灯する必要がある状態）かを判定する（Ｓ２０２）。周囲（使用場所）が明るいと判定された場合、いずれかのキーが押下され或いは着信があっても、キーバックライト２を連続消灯する（Ｓ２０３）。これにより、バッテリーの消費を低減することができ、バッテリーの使用可能時間を延ばすことができる。
【００１８】
一方、周囲（使用場所）が暗いと判定されたときには、着信の有無が判定される（Ｓ２０４）。着信有りが判定されたとき、制御回路１０はキーバックライト２を点滅させる（Ｓ２０５）。また、着信無しが判定されたとき、いずれかのキーの押下が有ったか否かが判定され（Ｓ２０６）、キー押下有りが判定されたときにキーバックライト２を一定時間連続点灯させる（Ｓ２０７）。Ｓ２０６でキー押下無しが判定されたとき、他の処理（各種の入出力操作、電話帳機能、メール機能、メモ機能等の実行）を実行する（Ｓ２０８）。Ｓ２０８の処理が終了すると、処理はＳ２０２に戻され、以降の処理が繰り返し実行される。
【００１９】
以上のように、第１の実施の形態によれば、キーバックライト２が点滅したか、連続点灯したかによって、キーバックライト２の本来のバックライト動作か、着信表示かを使い分けすることができる。キーバックライト２は着信時に点滅し、キー押下時には連続点灯になるので、着信による点灯かキー押下による点灯かは容易に認識することができる。したがって、キーバックライト２を着信表示に兼用しても何ら不都合は生じない。このように、着信表示に専用の着信ＬＥＤを用いていないため、プリント基板の実装効率が向上し、重量及び体積の軽減が図れ（小型軽量化が図れ）、コストダウンが可能になる。
【００２０】
〔第２の実施の形態〕
図３は、本発明による移動電話装置の第２の実施の形態を示す。第２の実施の形態においても、移動電話装置として携帯電話機を用いている。図３においては、図１に示したと同一であるものには同一引用数字を用いたので、以下においては重複する説明を省略する。
図３に示すように、携帯電話機２０は、キーバックライト２、表示器５、アンテナ６、光センサ８、ＬＣＤバックライト２１、及び制御回路２２を備えるほか、〔００１０〕で説明したように、ダイヤル入力用のキー、各種の機能キー、マイク、スピーカ等を備えている。制御回路２２は、光センサ８の出力信号に基づいてキーバックライト２及びＬＣＤバックライト２１の点灯を制御する。従来の着信ＬＥＤ４に兼用されるのがＬＣＤバックライト２１であり、このＬＣＤバックライト２１が着信時に点滅する。
【００２１】
図４は、本発明の第２の実施の形態における動作を示す。この図４のフローチャート、及び上記した図３の構成を参照して第２の実施の形態の動作を説明する。
まず、電源キーが押下されると（Ｓ３０１）、制御回路２２は光センサ８の出力信号をチェックし、携帯電話機２０の周囲（使用場所）が明るい（ＬＣＤバックライト２１やキーバックライト２を点灯する必要がない状態）か暗い（ＬＣＤバックライト２１やキーバックライト２を点灯する必要がある状態）かを判定する（Ｓ３０２）。明るいと判定された場合、いずれかのキーが押下され或いは着信があっても、ＬＣＤバックライト２１とキーバックライト２を連続消灯する（Ｓ３０３）。これにより、バッテリーの消費を低減することができ、バッテリーの使用可能時間を延ばすことができる。
【００２２】
一方、周囲（使用場所）が暗いと判定されたときには、着信の有無が判定される（Ｓ３０４）。着信有りが判定されたとき、制御回路２２はＬＣＤバックライト２１を点滅させる（Ｓ３０５）。また、着信無しが判定されたとき、いずれかのキーの押下が有ったか否かが判定される（Ｓ３０６）。キー押下有りが判定されたとき、ＬＣＤバックライト２１とキーバックライト２を一定時間連続点灯させる（Ｓ３０７、Ｓ３０８）。Ｓ３０６でキー押下無しが判定されたとき、他の処理（各種の入出力操作、電話帳機能、メール機能、メモ機能等の実行）を実行する（Ｓ３０９）。Ｓ３０９の処理が終了すると、処理はＳ３０２に戻され、以降の処理が繰り返し実行される。
【００２３】
以上のように、第２の実施の形態によれば、ＬＣＤバックライト２１が点滅したか、連続点灯したかによって、ＬＣＤバックライト２１の本来のバックライト動作か、着信表示（従来の着信ＬＥＤの機能）かを使い分けすることができる。着信表示に専用の着信ＬＥＤを用いていないため、プリント基板の実装効率が向上し、重量及び体積の軽減が図れ、コストダウンが可能になる。
【００２４】
図５は本発明の第３の実施の形態を示す。
本実施の形態は、図２における着信有りの判定（Ｓ２０４）をＳ２０２の前段に置いたフローとしたものである。このようにすることで、着信時には光センサ８の検出状態にかかわらずキーバックライト２が点滅する。
第３の実施の形態によれば、使用場所が明るいときでもキーバックライト２が点滅するので、確実に着信を知ることができる。この場合、周囲（使用場所）が明るいときでもキーバックライト２が点滅駆動されるため、その分だけ消費電力が増えるが、着信はキー押下に比べて頻度が少ないので、問題にはならない。
【００２５】
図６は本発明の第４の実施の形態を示す。
本実施の形態は、図４における着信有りの判定（Ｓ３０４）をＳ３０２の前段に置いたフローにしたものである。このようにすることで、着信時には光センサ８の検出状態にかかわらずＬＣＤバックライト２１が点滅する。なお、Ｓ３０３の処理は、図２のＳ２０３の処理に置き換えられる。
第４の実施の形態によれば、周囲（使用場所）が明るいときでもＬＣＤバックライト２１が点滅するので、確実に着信を知ることができる。この場合も、周囲（使用場所）が明るいときでもＬＣＤバックライト２１が点滅駆動されるため、その分だけ消費電力が増えるが、着信はキー押下に比べて頻度が少ないので、問題にはならない。
【００２６】
上記各実施の形態においては、キーバックライト２及びＬＣＤバックライト２１の発光色について言及しなかったが、任意の色にすることができる。また、上記各実施の形態においては、着信の表示を点滅により特定したが、点滅に代えて特定の色に変更する構成にしてもよい。例えば、着信の時には赤の連続又は点滅とし、キー及びＬＣＤのバックライトのときには赤色以外の色で発光させる構成にしてもよい。或いは、複数の色を順番に点灯（例えば、７色による虹色）するようにしてもよい。
また、携帯電話機について説明したが、本発明はＰＨＳや自動車電話機等の移動電話装置にも適用可能である。
さらに、上記実施の形態においては、着信時には、キーバックライト２又はＬＣＤバックライト２１の一方を点滅するものとしたが、キーバックライト２とＬＣＤバックライト２１の両方を同時に点滅させてもよい。
【図面の簡単な説明】
【００２７】
【図１】本発明による移動電話装置の第１の実施の形態を示すブロック図である。
【図２】本発明の第１の実施の形態における動作を示すフローチャートである。
【図３】本発明による移動電話装置の第２の実施の形態を示すブロック図である。
【図４】本発明の第２の実施の形態における動作を示すフローチャートである。
【図５】本発明による移動電話装置の第３の実施の形態の動作を示すフローチャートである。
【図６】本発明による移動電話装置の第４の実施の形態の動作を示すフローチャートである。
【図７】従来の移動電話装置の構成を示すブロック図である。
【図８】図７の構成の移動電話装置の動作を示すフローチャートである。
【符号の説明】
【００２８】
２  キーバックライト
５  表示器
７，２２  制御回路
８  光センサ
１０，２０  携帯電話装置
２１  ＬＣＤバックライト
【図１】
2004248319.tif 000003
【図２】
2004248319.tif 000004
【図３】
2004248319.tif 000005
【図４】
2004248319.tif 000006
【図５】
2004248319.tif 000007
【図６】
2004248319.tif 000008
【図７】
2004248319.tif 000009
【図８】
2004248319.tif 000010